(57)【要約】【課題】  明示的にカウント対象を特定してカウント処理し、より正確なカウント対象毎のカウンタ情報を取得すること。【解決手段】  ＣＰＵ１０３が、印刷データに関連付けられて入力される、該印刷データを印刷処理する際のカウンタ処理対象者の情報を含むカウンタ設定情報を、該印刷データと関連付けてＨＤＤ１０８に保存させ、前記印刷データを印刷処理する際に、該印刷データに関連付けられたカウンタ設定情報内のカウンタ処理対象者に対してカウント処理を実行する構成を特徴とする。【選択図】図１
2007011588.tif 000002
【特許請求の範囲】
【請求項１】
入力される印刷データを記憶手段に格納しておき、印刷指示に応じて前記印刷データを印刷処理する印刷処理装置において、
前記印刷データに関連付けられて入力される、前記印刷データを印刷処理する際のカウンタ処理対象者の情報を含むカウンタ設定情報を、該印刷データに関連付けて前記記憶手段に設定保存させる設定手段と、
前記印刷データを印刷処理する際に、前記印刷データに関連付けられたカウンタ設定情報内のカウンタ処理対象者に対してカウント処理を実行制御する制御手段と、
を有することを特徴とする印刷処理装置。
【請求項２】
前記カウンタ設定情報は、前記印刷データの印刷許可対象者の情報を含むものであり、
前記制御手段は、前記印刷データを印刷処理する際に、前記印刷データに関連付けられたカウンタ設定情報内の印刷許可対象者の情報に基づいて、前記印刷データの印刷処理を許可又は禁止制御することを特徴とする請求項１記載の印刷処理装置。
【請求項３】
前記カウンタ設定情報は、前記印刷データの印刷許可枚数の情報を含むものであり、
前記制御手段は、前記印刷データを印刷処理する際に、前記印刷データに関連付けられたカウンタ設定情報内の印刷許可枚数の情報に基づいて、前記印刷データの積算の印刷枚数が前記印刷許可枚数を超えないように印刷処理を許可又は禁止制御することを特徴とする請求項１又は２記載の印刷処理装置。
【請求項４】
前記カウンタ設定情報は、前記印刷データの有効期限の情報を含むものであり、
前記制御手段は、前記印刷データを印刷処理する際に、前記印刷データに関連付けられたカウンタ設定情報内の有効期限の情報に基づいて、前記印刷データの印刷処理を許可又は禁止制御することを特徴とする請求項１乃至３のいずれか１項に記載の印刷処理装置。
【請求項５】
前記制御手段は、前記印刷データを印刷処理する際に、前記印刷データに関連付けられたカウンタ設定情報内のカウンタ処理対象者に対して課金処理を実行制御することを特徴とする請求項１乃至４のいずれか１項に記載の印刷処理装置。
【請求項６】
入力される印刷データを記憶手段に格納しておき、印刷指示に応じて前記印刷データを印刷処理する印刷処理装置に対して、印刷データを送信する情報処理装置において、
印刷データを前記印刷処理装置に送信する際に、該印刷データを印刷処理する際のカウンタ処理対象者の情報を含むカウンタ設定情報を、該印刷データに関連付けて、前記印刷処理装置に送信する送信手段を有することを特徴とする情報処理装置。
【請求項７】
前記カウンタ設定情報は、前記印刷データの印刷許可対象者の情報を含むことを特徴とする請求項６記載の情報処理装置。
【請求項８】
前記カウンタ設定情報は、前記印刷データの印刷許可枚数の情報を含むことを特徴とする請求項６又は７記載の情報処理装置。
【請求項９】
前記カウンタ設定情報は、前記印刷データの有効期限の情報を含むことを特徴とする請求項６乃至８のいずれか１項に記載の情報処理装置。
【請求項１０】
情報処理装置と、前記情報処理装置から入力される印刷データを記憶手段に格納しておき前記情報処理装置からの印刷指示に応じて前記印刷データを印刷処理する印刷処理装置とを有する印刷システムにおいて、
前記情報処理装置は、印刷データを前記印刷処理装置に送信する際に、該印刷データを印刷処理する際のカウンタ処理対象者の情報を含むカウンタ設定情報を、該印刷データに関連付けて、前記印刷処理装置に送信する送信手段を有するものであり、
前記印刷処理装置は、前記印刷データに関連付けられて入力される、前記印刷データを印刷処理する際のカウンタ処理対象者の情報を含むカウンタ設定情報を、該印刷データに関連付けて前記記憶手段に設定保存させる設定手段と、
前記印刷データを印刷処理する際に、前記印刷データに関連付けられたカウンタ設定情報内のカウンタ処理対象者に対してカウント処理を実行制御する制御手段とを有することを特徴とする印刷システム。
【請求項１１】
入力される印刷データを記憶手段に格納しておき、印刷指示に応じて前記印刷データを印刷処理する印刷処理装置における印刷処理方法において、
前記印刷データに関連付けられて入力される、前記印刷データを印刷処理する際のカウンタ処理対象者の情報を含むカウンタ設定情報を、該印刷データに関連付けて前記記憶手段に設定保存させる設定ステップと、
前記印刷データを印刷処理する際に、前記印刷データに関連付けられたカウンタ設定情報内のカウンタ処理対象者に対してカウント処理を実行するカウントステップと、
を有することを特徴とする印刷処理装置における印刷処理方法。
【請求項１２】
入力される印刷データを記憶手段に格納しておき、印刷指示に応じて前記印刷データを印刷処理する印刷処理装置に対して、印刷データを送信する情報処理装置における情報処理方法において、
印刷データを前記印刷処理装置に送信する際に、該印刷データを印刷処理する際のカウンタ処理対象者の情報を含むカウンタ設定情報を、該印刷データに関連付けて、前記印刷処理装置に送信する送信ステップを有することを特徴とする情報処理装置における情報処理方法。
【請求項１３】
入力される印刷データを記憶手段に格納しておき、印刷指示に応じて前記印刷データを印刷処理する印刷処理装置に、
前記印刷データに関連付けられて入力される、前記印刷データを印刷処理する際のカウンタ処理対象者の情報を含むカウンタ設定情報を、該印刷データに関連付けて前記記憶手段に設定保存させる設定ステップと、
前記印刷データを印刷処理する際に、前記印刷データに関連付けられたカウンタ設定情報内のカウンタ処理対象者に対してカウント処理を実行するカウントステップと、
を実行させるためのプログラム。
【請求項１４】
入力される印刷データを記憶手段に格納しておき、印刷指示に応じて前記印刷データを印刷処理する印刷処理装置に対して、印刷データを送信する情報処理装置に、
印刷データを前記印刷処理装置に送信する際に、該印刷データを印刷処理する際のカウンタ処理対象者の情報を含むカウンタ設定情報を、該印刷データに関連付けて、前記印刷処理装置に送信する送信ステップを実行させるためのプログラム。
【請求項１５】
入力される印刷データを記憶手段に格納しておき、印刷指示に応じて前記印刷データを印刷処理する印刷処理装置に対して、印刷データを送信する情報処理装置に、
印刷データを前記印刷処理装置に送信する際に、該印刷データを印刷処理する際のカウンタ処理対象者の情報を含むカウンタ設定情報を、該印刷データに関連付けて、前記印刷処理装置に送信する送信ステップを実行させるためのプログラムをコンピュータが読み取り可能に記憶した記憶媒体。
【発明の詳細な説明】
【技術分野】
【０００１】
本発明は、印刷処理装置および印刷システムにおけるカウンタ処理方法に関する。
【背景技術】
【０００２】
従来、印刷装置におけるカウンタ処理は、印刷時に印刷を行ったユーザもしくはユーザが所属する部門に対して行われている。このカウンタ処理によりカウントされるカウンタ情報は、印刷者毎の印刷枚数カウントなどの情報であり、誰がどれだけ印刷を行ったのか、誰がどれだけ印刷を必要としているのかといった情報を収集に用いられている。
【０００３】
このカウンタ情報は、カウント情報を利用した印刷装置の最適配置など、現在多岐に利用されている。また、特開２０００−２５９３８６号公報（特許文献１）で述べられているように、印刷システム毎に課金ルールを策定し、ユーザから指示された印刷機能に対応する課金情報を、印刷ジョブに応じて埋め込んで印刷装置に送信し、印刷装置は印刷ジョブから各ページのラスタイメージを作成する際に、課金情報を抽出し、印刷ジョブが使用する機能に応じて課金内容を変更するという方法も提案されている。
【特許文献１】特開２０００−２５９３８６号公報
【発明の開示】
【発明が解決しようとする課題】
【０００４】
しかし、上記特許文献１に記載の技術は、あらかじめ印刷ルールを策定し印刷ジョブに課金情報を埋め込み、印刷ジョブが使用する機能に応じた課金はできるが、明示的に課金対象となる部門を特定することができない。このため、他部門の都合で印刷する必要があるものに関しても、印刷者に対してカウンタ処理が行われてしまう。
【０００５】
このように、上記特許文献１の技術では、正確な部門毎のカウンタ情報が取得できないといった問題点があった。そのため、印刷者に対して課金処理等が行われてしまう等の事態も発生していた。
【０００６】
本発明は、上記の問題点を解決するためになされたもので、本発明の目的は、入力される印刷データを記憶手段に格納しておき印刷指示に応じて前記印刷データを印刷処理する印刷処理装置において、前記印刷データに関連付けられて入力される、前記印刷データを印刷処理する際のカウンタ処理対象者の情報を含むカウンタ設定情報を、該印刷データに関連付けて前記記憶手段に設定保存させ、前記印刷データを印刷処理する際に、前記印刷データに関連付けられたカウンタ設定情報内のカウンタ処理対象者に対してカウント処理を実行することにより、明示的にカウント対象となる部門を特定することができ、例えば、他部門の都合で印刷する必要があるものに関しては前記他部門にカウントし、より正確な部門毎のカウンタ情報の取得することができる印刷システムを構築可能な印刷処理装置および情報処理装置および印刷システムおよび印刷処理方法および情報処理方法およびプログラムおよび記憶媒体を提供することである。
【課題を解決するための手段】
【０００７】
本発明は、入力される印刷データを記憶手段に格納しておき、印刷指示に応じて前記印刷データを印刷処理する印刷処理装置において、前記印刷データに関連付けられて入力される、前記印刷データを印刷処理する際のカウンタ処理対象者の情報を含むカウンタ設定情報を、該印刷データに関連付けて前記記憶手段に設定保存させる設定手段と、前記印刷データを印刷処理する際に、前記印刷データに関連付けられたカウンタ設定情報内のカウンタ処理対象者に対してカウント処理を実行制御する制御手段とを有することを特徴とする。
【発明の効果】
【０００８】
本発明によれば、入力される印刷データを記憶手段に格納しておき印刷指示に応じて前記印刷データを印刷処理する印刷処理装置において、前記印刷データに関連付けられて入力される、前記印刷データを印刷処理する際のカウンタ処理対象者の情報を含むカウンタ設定情報を、該印刷データに関連付けて前記記憶手段に設定保存させ、前記印刷データを印刷処理する際に、前記印刷データに関連付けられたカウンタ設定情報内のカウンタ処理対象者に対してカウント処理を実行することにより、明示的にカウント対象を特定することができ、より正確なカウント対象毎のカウンタ情報を取得することができる等の効果を奏する。
【０００９】
この結果として、例えば、他部門の都合で印刷する必要があるものに関してはその部門（前記他部門）にカウントするというようにフレキシブルなカウント処理が可能となる。
【発明を実施するための最良の形態】
【００１０】
〔第１実施形態〕
次に、添付の図面を参照して本発明に係る一実施形態を詳細に説明する。
【００１１】
図１は、本発明に係る一実施形態を示す印刷装置の構成を示すブロック図である。
【００１２】
図１に示すように、破線で示された印刷装置本体１０１には、外部のホストコンピュータ１０２が不図示のコネクタを介して接続されている。印刷装置本体１０１は、このホストコンピュータ１０２からページ記述言語を用い送信される文字コード，排紙命令等を受け取り、印刷出力可能に構成されている。
【００１３】
また、ホストコンピュータ１０２は、印刷装置本体１０１からのエラー通知等を受け取り、該ホストコンピュータ１０２の表示装置に表示することができる。さらに、ホストコンピュータ１０２は、印刷装置本体１０１へ既存の印刷装置への指示を行うことが可能である。また、ホストコンピュータ１０２は、後述する印刷データ送信，印刷データ保存，印刷開始，カウンタ情報登録，カウンタ設定情報収集，印刷データ削除処理の指示を行うことが可能である。
【００１４】
また、印刷装置本体１０１は、ホストコンピュータ１０２がなく、印刷装置本体１０１単独で構成されていてもよい。
【００１５】
以下、印刷装置本体１０１の内部構成について説明する。
【００１６】
印刷装置本体１０１において、１０３はＣＰＵである。このＣＰＵ１０３は、ブートＲＯＭ１０５に格納されたブートプログラムの制御手順に従い、ハードディスクドライブ１０８に格納された実行プログラムをＲＡＭ１０６上にロードする。そして、ＣＰＵ１０３は、該ＲＡＭ１０６上にロードされた実行プログラムの制御手順に従い、本装置１０１の全体制御を行う。
【００１７】
１０４は受信バッファである。この受信バッファ１０４は、ホストコンピュータ１０２より受信したページ記述言語を用いた文字コード，排紙命令等の受信データを蓄える。
【００１８】
ブートＲＯＭ（ｂｏｏｔ ＲＯＭ）１０５には、上述したＣＰＵ装置１０３の初期動作とハードディスクドライブ１０８に格納された実行プログラムをＣＰＵ装置１０３によりＲＡＭ１０６上にロードさせて実行させるプログラムが格納されている。また、このブートＲＯＭ１０５には、ホストコンピュータ１０２から送信される実行プログラムが格納される。
【００１９】
ＲＡＭ１０６は、ＣＰＵ１０３の実行プログラムの格納領域および実行プログラムを実行する際にワークエリアとして機能する。１０７は出力部であり、公知の電子写真プロセスに準じて画像を顕像化する。
【００２０】
ハードディスクドライブ（ＨＤＤ）１０８は、上述した実行プログラム、一定期間保存データ及び恒久保存データ、及び後述するカウンタ設定情報、印刷データの保存に用いる領域を格納する。
【００２１】
１０９は操作パネルであり、エラー通知等を表示するための表示部（ＬＣＤ等）を有する。また、操作パネル１０９は、既存の印刷装置への指示、及び、後述する印刷データ送信，印刷データ保存，印刷開始，カウンタ情報登録，カウンタ設定情報収集，印刷データ削除処理の指示を行うための操作部（タッチパネル，ハードキー等）を有する。
【００２２】
１１０は不揮発性メモリとしてのＮＶＲＡＭである。このＮＶＲＡＭ１１０には、印刷装置１０１の個々にユニークな機台ＩＤが格納されている。この機器ＩＤは、工場での初期化時に設定され以降の変更はできないものである。１１１は画像読み取り部であり、原稿から画像データを読み取る。
【００２３】
なお、ホストコンピュータ１０２は、ＣＰＵ，ＲＯＭ，ＲＡＭ，ＨＤＤ等の外部記憶装置，ＮＩＣ等の印刷装置１０１との通信装置を備えた一般的なパーソナルコンピュータの構成を成しており、ＣＰＵは、ＲＯＭ，外部記憶装置に格納されるプログラムをＲＡＭ上で実行して、各所制御処理を実行可能である。
【００２４】
図２は、本発明に係る一実施形態を示す印刷システムのブロック図であり、図１と同一のものには同一の符号を付してある。
【００２５】
図２において、図１に示したホストコンピュータ１０２は、ホストコンピュータ１０２ａ，１０２ｂに相当する。なお、図２では、ホストコンピュータ１０２は、１０２ａ，１０２ｂのみを示しているが、システム上に幾つ存在してもよい。
【００２６】
図２に示す印刷システムでは、図１に記載した印刷装置１０１の機能をシステム全体で実現している。以下、詳細を記載する。
【００２７】
図２に示すように、このシステムでは、プリンタ管理サーバ２０２、画像読み取り装置２０５、印刷装置２０６、印刷装置１０１、ホストコンピュータ１０２ａ，１０２ｂが、ネットワーク２０４を介して接続されており、双方向通信が可能である。
【００２８】
ホストコンピュータ１０２ａ，１０２ｂ（以下、単に１０２と称する）は、印刷装置２０６，印刷装置１０１等からのエラー通知等を表示することが可能である。また、ホストコンピュータ１０２は、既存の印刷装置への指示を行うことが可能である。
【００２９】
さらに、ホストコンピュータ１０２は、後述する印刷データ送信，印刷データ保存，印刷開始，カウンタ情報登録，カウンタ設定情報収集，印刷データ削除処理の指示をプリンタ管理サーバ２０２，画像読み取り装置２０５，印刷装置２０６，印刷装置１０１へ行うことが可能である。
【００３０】
プリント管理サーバ２０２は、印刷装置１０１から画像読み取り部１１１及び出力部１０７を取り除き、画像読み取り装置２０５及び印刷装置２０６への印刷指示を実現するプリント管理機能を付加したコンピュータである。
【００３１】
画像読み取り装置２０５は、ホストコンピュータ１０２、プリント管理サーバ２０２、印刷装置１０１の操作パネル１０９、印刷装置２０６の操作パネル１０９、又は、画像読み取り装置２０５の操作パネルから画像読み取り指示を受けることで、画像を読み取り、指定された相手に画像データを返信する。
【００３２】
印刷装置１０１は、ホストコンピュータ１０２、プリント管理サーバ２０２、印刷装置１０１の操作パネル１０９、印刷装置２０６の操作パネル１０９、又は、画像読み取り装置２０５の操作パネルから印刷指示を受けることで印刷を行う。
【００３３】
印刷装置２０６は、印刷装置１０１から画像読み取り部１１１を取り除いたものであり、ホストコンピュータ１０２、プリント管理サーバ２０２、印刷装置２０６の操作パネル１０９、印刷装置１０１の操作パネル１０９、又は、画像読み取り装置２０５の操作パネルから印刷指示を受けることで印刷を行う。
【００３４】
図３は、本発明の第１実施形態における印刷データ送信・保存開始指示、印刷データ印刷開始指示、印刷データ保存開始指示、カウンタ設定情報収集開始指示、印刷データ削除開始指示を行う画面の一例を示す図である。なお、この画面は、印刷装置１０１の操作パネル１０９、印刷装置２０６の操作パネル１０９、ホストコンピュータ１０２のモニタ、プリントサーバ２０２のモニタ、又は、画像読み込み装置２０５の操作パネル上に表示される。
【００３５】
図３において、１００１は印刷データ送信・保存開始ボタンである。この印刷データ送信・保存開始ボタン１００１は、後述する印刷データ送信・保存開始及び印刷データ保存開始指示を行う場合に使用する。
【００３６】
１００２は印刷データの印刷ボタンである。この印刷データの印刷ボタン１００２は、印刷データ印刷開始指示を行う場合に使用する。
【００３７】
１００４は印刷データの削除ボタンである。印刷データの削除ボタン１００４は印刷データ削除処理開始指示を行う場合に使用する。１００５はカウンタ設定情報の収集ボタン１００５である。このカウンタ設定情報の収集ボタン１００５は、カウンタ設定情報収集開始指示を行う場合に使用する。
【００３８】
図４は、本発明におけるジョブと対応するカウンタ設定情報の一例を示す図である。
【００３９】
図４において、１１０１は印刷データのジョブ番号である。この印刷データのジョブ番号１１０１に対するカウンタ処理対象者／印刷許可対象者／印刷可能枚数／有効期限のカウンタ設定情報は、図４に示すようなデータ形式で印刷処理装置（印刷装置１０１、印刷装置２０６、又は、プリント管理サーバ２０２）のハードディスクドライブ１０８に保存される。
【００４０】
以下、図５〜図９のフローチャートを参照して、本発明の印刷システムにおける制御処理動作について説明する。
【００４１】
図５は、本発明の印刷システムにおける第１の制御処理手順の一例を示すフローチャートであり、図３に示した印刷データ送信・保存ボタン１００１が指示された場合に実行される印刷データ送信・保存処理に対応する。
【００４２】
なお、図中、Ｓ３０１〜Ｓ３１３は、印刷データ送信・保存開始の指示元（以下、単に「指示元」という）で実行されるステップに対応する。なお、指示元の装置は、ホストコンピュータ１０２、印刷装置１０１、印刷装置２０６、又は、画像読み取り装置２０５のいずれであってもよい。また、指示元の装置で行われる印刷データ送信・保存開始の指示は、該指示元の装置の操作部（印刷装置１０１であれば操作パネル１０９）で図３に示した画面から行われる。また、Ｓ３０１〜Ｓ３１３の処理は、指示元の装置のＣＰＵがＨＤＤ等の外部記憶装置に格納されたプログラムをＲＡＭ等に読み出して実行することにより実行される。
【００４３】
また、Ｓ３２１〜Ｓ３２３は、印刷データの送信・保存先（以下、単に「送信先」という）で実行されるステップに対応する。なお、送信先の装置は、印刷装置１０１、印刷装置２０６、又は、プリント管理サーバ２０２のいずれであってもよい。また、Ｓ３２１〜Ｓ３２３の処理は、送信先の装置のＣＰＵがＨＤＤ等の外部記憶装置に格納されたプログラムをＲＡＭ等に読み出して実行することにより実行される。
【００４４】
なお、上述した指示元の装置、送信先の装置は、同一装置であっても異なる装置であってもよい。
【００４５】
まず、指示元において、図３に示した画面上の印刷データ送信・保存ボタン１００１がユーザにより指示されることにより印刷データ送信・保存開始が指示されると（Ｓ３０１）、本フローチャートの処理を開始する。
【００４６】
そして、指示元の装置のＣＰＵは、ステップＳ３０２〜Ｓ３０９において設定処理を行う。ステップＳ３０２〜Ｓ３０９の設定処理は、設定終了となるまで、ステップＳ３０３〜Ｓ３０８の処理を繰り返す。
【００４７】
ステップＳ３０３において、指示元の装置のＣＰＵは、印刷データ送信先を、ネットワーク２０４を会して接続されている印刷装置１０１、印刷装置２０６、プリント管理サーバ２０２、印刷装置１０１の中からユーザに選択入力させる。ユーザがいずれかを入力すると、指示元の装置のＣＰＵは、該入力された装置を印刷データの送信先として設定し、ＲＡＭ等のメモリ内に記憶する。
【００４８】
ステップＳ３０４において、指示元の装置のＣＰＵは、印刷形式をユーザに選択入力させる。ユーザが印刷形式を入力すると、指示元の装置のＣＰＵは、該入力された印刷形式をＲＡＭ等のメモリ内に記憶する。
【００４９】
次に、ステップＳ３０５において、指示元の装置のＣＰＵは、カウンタ処理対象者をユーザに入力させる。ユーザがいずれかのユーザ名（セクション名等でもよく）を入力すると、指示元の装置のＣＰＵは、該入力されたユーザ名をカウンタ処理対象者として設定し、ＲＡＭ等のメモリ内に記憶する。
【００５０】
次に、ステップＳ３０６において、指示元の装置のＣＰＵは、印刷許可対象者をユーザに入力させる。ユーザがいずれかのユーザ名（セクション名等でもよい、又、複数ユーザであってもよい）を入力すると、指示元の装置のＣＰＵは、該入力されたユーザ名を印刷許可対象者として設定し、ＲＡＭ等のメモリ内に記憶する。
【００５１】
次に、ステップＳ３０７において、指示元の装置のＣＰＵは、印刷可能枚数をユーザに入力させる。ユーザが印刷可能枚数を入力すると、指示元の装置のＣＰＵは、該入力された値を印刷可能枚数として設定し、ＲＡＭ等のメモリ内に記憶する。
【００５２】
次に、ステップＳ３０８において、指示元の装置のＣＰＵは、有効期限をユーザに入力させる。ユーザが有効期限として日時を入力すると、指示元の装置のＣＰＵは、該入力された日時を有効期限として設定し、ＲＡＭ等のメモリ内に記憶する。
【００５３】
そして、ユーザより設定終了が指示されると、指示元の装置のＣＰＵは、ステップＳ３１０に処理を移行させる。
【００５４】
次に、ステップＳ３１０において、指示元の装置のＣＰＵは、ステップＳ３０５〜Ｓ３０８で入力されて指示元の装置のＲＡＭ内に記憶されている各設定値（カウンタ処理対象者，印刷許可対象者，印刷可能枚数，有効期限）を、カウンタ設定情報として指示元の装置のＲＡＭ等のメモリ内に保持する。
【００５５】
次に、ステップＳ３１１において、指示元の装置のＣＰＵは、ステップＳ３０４で入力されて指示元の装置のＲＡＭ内に記憶されている印刷形式の設定に従い、印刷データを生成する。
【００５６】
次に、ステップＳ３１２において、指示元の装置のＣＰＵは、ステップＳ３１０で保持したカウンタ設定情報と、ステップＳ３１１で生成した印刷データとを、ステップＳ３０３で入力されて指示元の装置のＲＡＭ内に記憶されている送信先に対応する装置へ送信し（カウンタ設定情報・印刷データの送信）、処理を終了する（Ｓ３１３）。
【００５７】
一方、送信先の装置のＣＰＵは、指示元の装置からカウンタ設定情報・印刷データを受信すると（Ｓ３２１）、受信したカウンタ設定情報・印刷データをＨＤＤ等の外部記憶装置（印刷装置１０１の場合ＨＤＤ１０８）に保存し（Ｓ３２２）、処理を終了する（Ｓ３２３）。
【００５８】
以上で印刷データ送信・保存処理は終了する。
【００５９】
図６は、本発明の印刷システムにおける第２の制御処理手順の一例を示すフローチャートであり、図３に示した印刷データの印刷ボタン１００２が指示された場合に実行される印刷データの印刷処理に対応する。
【００６０】
なお、図中、Ｓ４０１〜Ｓ４０４は、印刷データの印刷の指示元（以下、単に「指示元」という）で実行されるステップに対応する。なお、指示元の装置は、ホストコンピュータ１０２、印刷装置１０１、印刷装置２０６、又は、画像読み取り装置２０５のいずれであってもよい。また、指示元の装置で行われる印刷データの印刷の指示は、該指示元の装置の操作部（印刷装置１０１であれば操作パネル１０９）で図３に示した画面から行われる。また、Ｓ４０１〜Ｓ４０４の処理は、指示元の装置のＣＰＵがＨＤＤ等の外部記憶装置に格納されたプログラムをＲＡＭ等に読み出して実行することにより実行される。
【００６１】
また、Ｓ４１１〜Ｓ４１７は、印刷データの印刷処理を実行する装置（以下、単に「印刷指示された装置」という）で実行されるステップに対応する。なお、印刷指示された装置は、印刷装置１０１、印刷装置２０６、又は、プリント管理サーバ２０２のいずれであってもよい。また、Ｓ４１１〜Ｓ４１７の処理は、印刷指示された装置のＣＰＵがＨＤＤ等の外部記憶装置に格納されたプログラムをＲＡＭ等に読み出して実行することにより実行される。
【００６２】
なお、上述した指示元の装置、印刷指示された装置は、同一装置であっても異なる装置であってもよい。
【００６３】
まず、指示元において、図３に示した画面上の印刷データの印刷ボタン１００２がユーザにより指示されることにより印刷データ印刷開始が指示されると（Ｓ４０１）、本フローチャートの処理を開始する。
【００６４】
そして、指示元の装置のＣＰＵは、ステップＳ４０２において、対象印刷データを特定する情報，出力指示者，印刷枚数をユーザに入力させる。ユーザが入力すると、指示元の装置のＣＰＵは、該入力されたデータを印刷データ出力指示の情報として、ＲＡＭ等のメモリ内に記憶する。
【００６５】
次に、ステップS４０３において、指示元の装置のＣＰＵは、ステップＳ４０２で設定した印刷データ出力指示（対象印刷データを特定する情報，出力指示者，印刷枚数を含む）を、対象印刷データが保存されている装置（印刷装置１０１、印刷装置２０６、又は、プリント管理サーバ２０２）に送信し、処理を終了する（Ｓ４０４）。
【００６６】
一方、印刷指示された装置のＣＰＵは、指示元の装置から印刷データ出力指示（対象印刷データを特定する情報，出力指示者，印刷枚数を含む）を受信すると（Ｓ４１１）、ステップＳ４１２に処理を進める。
【００６７】
そして、ステップＳ４１２において、印刷指示された装置のＣＰＵは、ステップＳ４１１で受信した対象印刷データを特定する情報から特定される印刷データに対応するカウンタ設定情報（カウンタ処理対象者，印刷許可対象者，印刷可能枚数，有効期限）を印刷指示された装置のＨＤＤ等から読み出す。
【００６８】
次に、ステップＳ４１３において、印刷指示された装置のＣＰＵは、ステップＳ４１１で受信した出力指示者，印刷枚数及び受信日時と、ステップＳ４１２で読み出した印刷許可対象者，印刷可能枚数，有効期限とを比較する。そして、出力指示者が印刷許可対象者に該当し、且つ、現在日時が有効期限内に該当し、且つ、印刷枚数が印刷可能枚数以下であるかを判定する。
【００６９】
そして、印刷指示された装置のＣＰＵが、出力指示者が印刷許可対象者に該当しない、又は、受信日時が有効期限内に該当しない、又は、印刷枚数が印刷可能枚数以下でない（即ち、ステップＳ４１３で条件を満たさずＮｏ）と判定した場合には、そのまま処理を終了する（Ｓ４１７）。
【００７０】
一方、印刷指示された装置のＣＰＵが、出力指示者が印刷許可対象者に該当する、且つ、受信日時が有効期限内に該当する、且つ、印刷枚数が印刷可能枚数以下である（即ち、ステップＳ４１３で条件を満たしＹｅｓ）と判定した場合には、ステップＳ４１４に処理を進める。
【００７１】
そして、ステップＳ４１４において、印刷指示された装置のＣＰＵは、ステップＳ４１１で受信した対象印刷データを特定する情報から特定される印刷データを印刷指示された装置のＨＤＤ等から読み出し、該読み出した印刷データの印刷処理を行う。ここで、印刷指示された装置が、印刷装置１０１又は印刷装置２０６の場合は、印刷装置１０１又は印刷装置２０６の出力部１０７で印刷出力する。また、印刷指示された装置が、プリント管理サーバ２０２の場合は、印刷装置１０１又は印刷装置２０６に送信して印刷装置１０１又は印刷装置２０６の出力部１０７で印刷出力させる。
【００７２】
次に、ステップＳ４１５において、印刷指示された装置のＣＰＵは、ステップＳ４１１で受信したカウンタ処理対象者に対してカウンタ処理を行い、ステップＳ４１２で読み出したカウンタ設定情報内の印刷許可枚数を更新して印刷指示された装置のＨＤＤ等に上書き保存し、処理を終了する（Ｓ４１７）。
【００７３】
なお、ステップＳ４１５のカウンタ処理は、例えば、Ａ４，Ａ３，Ｂ５，Ｂ５，レター等のプリントサイズ毎に行ってもよい。また、カラープリント，モノクロプリント等の画像処理形態毎に行ってもよい。さらに、製本処理やステイプル処理等の後処理毎に行ってもよい。また、カウンタ処理結果は、該カウンタ処理を実行した装置内のＨＤＤ等の記憶装置に記憶するように構成してもよいし、予め設定されたサーバ等に送信するように構成してもよい。
【００７４】
また、ステップＳ４１５において、印刷指示された装置のＣＰＵが、ステップＳ４１１で受信したカウンタ処理対象者に対して課金処理を行うように構成してもよい。
【００７５】
以上で印刷データ印刷処理は終了する。
【００７６】
図７は、本発明の印刷システムにおける第３の制御処理手順の一例を示すフローチャートであり、図３に示したカウンタ設定情報の収集ボタン１００５が指示された場合に実行されるカウンタ設定情報収集処理に対応する。
【００７７】
なお、図中、Ｓ７０１〜Ｓ７０４は、カウンタ設定情報収集の指示元（以下、単に「指示元」という）で実行されるステップに対応する。なお、指示元の装置は、ホストコンピュータ１０２、印刷装置１０１、印刷装置２０６、又は、画像読み取り装置２０５のいずれであってもよい。また、指示元の装置で行われるカウンタ設定情報の収集の指示は、該指示元の装置の操作部（印刷装置１０１であれば操作パネル１０９）で図３に示した画面から行われる。また、Ｓ７０１〜Ｓ７０４の処理は、指示元の装置のＣＰＵがＨＤＤ等の外部記憶装置に格納されたプログラムをＲＡＭ等に読み出して実行することにより実行される。
【００７８】
また、Ｓ７１１〜Ｓ７１３は、カウンタ設定情報の返信処理を実行する装置（以下、単に「返信装置」という）で実行されるステップに対応する。なお、返信装置は、印刷装置１０１、印刷装置２０６、プリント管理サーバ２０２等である。また、Ｓ７１１〜Ｓ７１３の処理は、返信装置のＣＰＵがＨＤＤ等の外部記憶装置に格納されたプログラムをＲＡＭ等に読み出して実行することにより実行される。
【００７９】
なお、上述した指示元の装置、返信装置は、同一装置であっても異なる装置であってもよい。
【００８０】
まず、指示元において、図３に示した画面上のカウンタ設定情報の収集ボタン１００５がユーザにより指示されることによりカウンタ設定情報収集開始が指示されると（Ｓ７０１）、本フローチャートの処理を開始する。
【００８１】
そして、指示元の装置のＣＰＵは、ステップＳ７０２において、ネットワーク２０４を介して接続されている印刷装置１０１，印刷装置２０６，プリント管理サーバ２０２，印刷装置１０１に対して、カウンタ設定情報収集開始データ（指示）を送付する。
【００８２】
一方、各返信装置（印刷装置１０１、印刷装置２０６、プリント管理サーバ２０２、印刷装置１０１）では、指示元の装置からカウンタ設定情報収集開始データ（指示）を受信すると（Ｓ７１１）、各返信装置のＣＰＵは、ステップＳ７１２に処理を進める。
【００８３】
そして、ステップＳ７１２において、各返信装置のＣＰＵは、印刷データに対応するカウンタ設定情報を持つカウンタ設定情報（図４）を保持している場合、該保持している全てのカウンタ設定情報及びカウント処理結果を読み出して予め設定されている集計方法で集計し（例えば、部門毎、プリントサイズ毎等で集計し）、カウンタ設定情報収集開始指示が行われた情報機器（指示元の装置）へ返信し、処理を終了する（Ｓ７１３）。
【００８４】
そして、指示元では、指示元の装置のＣＰＵは、ステップＳ７０３において、各返信装置から返信されたカウンタ設定情報及びカウント処理結果及び各返信装置内での集計結果を受信し、該受信した各カウンタ設定情報及び各カウント処理結果及び各集計結果を予め設定されている集計方法で集計し（部門毎、プリントサイズ毎等で集計し）、モニタ（印刷装置１０１の場合は操作パネル１０９）への表示処理を行い、処理を終了する（Ｓ７０４）。
【００８５】
以上でカウンタ設定情報収集処理は終了する。
【００８６】
一般的には、印刷システムの管理者が、カウンタ情報の集計を行うことで、部門毎の出力状況の確認を行う。また印刷装置のメンテナンスを行うサービスマンなどがカウンタ情報の集計を行い、課金処理に利用することができる。
【００８７】
例えば、印刷システムの管理者が、指示元の装置よりカウンタ設定情報の収集を指示した場合、ステップS７０３において、指示元の装置のＣＰＵは、収集されて部門毎に集計された情報を表示し、さらに、部門毎のカウンタ値に基づいて予め設定された課金方法により、部門毎の課金処理を行うように構成してもよい。
【００８８】
なお、上記の予め設定された課金方法とは、例えば、Ａ３，Ｂ５のカラープリントではカウント１毎に２０円、Ａ３，Ｂ５のモノクロプリントではカウント１毎に１０円、その他のサイズのカラープリントではカウント１毎に１０円、その他のサイズのモノクロプリントではカウント１毎に５円を課金する等である。
【００８９】
また、製本処理やステイプル処理等を実行した場合や、特殊シートへのプリントの場合も、個別にカウント集計しておき、カウンタ１毎に更なる課金を行うようにしてもよい。
【００９０】
さらに、図７では、カウンタ設定情報を保持する装置からカウンタ設定情報及びカウンタ処理結果を収集して、収集したカウンタ設定情報と収集したカウンタ処理結果を集計した集計結果とを表示する処理とをおこなう構成について説明したが、カウンタ設定情報を収集して表示する処理と、カウンタ処理結果を収集し集計して表示する処理とを、独立に実行可能に構成してもよい。
【００９１】
図８は、本発明の印刷システムにおける第４の制御処理手順の一例を示すフローチャートであり、図３に示した印刷データの削除ボタン１００４が指示された場合に実行される印刷データの削除処理１に対応する。
【００９２】
なお、図中、Ｓ８０１〜Ｓ８０３は、印刷データの削除の指示元（以下、単に「指示元」という）で実行されるステップに対応する。なお、指示元の装置は、ホストコンピュータ１０２、印刷装置１０１、印刷装置２０６、又は、画像読み取り装置２０５のいずれであってもよい。また、指示元の装置で行われる印刷データの削除の指示は、該指示元の装置の操作部（印刷装置１０１であれば操作パネル１０９）で図３に示した画面から行われる。また、Ｓ８０１〜Ｓ８０３の処理は、指示元の装置のＣＰＵがＨＤＤ等の外部記憶装置に格納されたプログラムをＲＡＭ等に読み出して実行することにより実行される。
【００９３】
また、Ｓ８１１〜Ｓ８１６は、印刷データ削除処理を実行する装置（以下、単に「削除指示された装置」という）で実行されるステップに対応する。なお、削除指示された装置は、印刷装置１０１、印刷装置２０６、又は、プリント管理サーバ２０２のいずれであってもよい。また、Ｓ８１１〜Ｓ８１６の処理は、削除指示された装置のＣＰＵがＨＤＤ等の外部記憶装置に格納されたプログラムをＲＡＭ等に読み出して実行することにより実行される。
【００９４】
なお、上述した指示元の装置、削除指示された装置は、同一装置であっても異なる装置であってもよい。
【００９５】
まず、指示元において、図３に示した画面上の印刷データの削除ボタン１００４がユーザにより指示されることにより印刷データ削除開始が指示されると（Ｓ８０１）、本フローチャートの処理（データ削除処理１）を開始する。
【００９６】
そして、指示元の装置のＣＰＵは、ステップＳ８０２において、削除対象の印刷データをユーザに選択入力させる。ユーザが入力すると、指示元の装置のＣＰＵは、該入力された削除対象の印刷データの削除開始指示（削除対象印刷データを特定する情報含む）を、削除対象の印刷データが保存されている装置（印刷装置１０１、印刷装置２０６、又は、プリント管理サーバ２０２）に送信し、処理を終了する（Ｓ８０３）。
【００９７】
一方、削除指示された装置のＣＰＵは、指示元の装置から印刷データ削除指示（削除対象の印刷データを示す情報を含む）を受信すると（Ｓ８１１）、ステップＳ８１２に処理を進める。
【００９８】
そして、ステップＳ８１２において、削除指示された装置のＣＰＵは、ステップＳ８１１で受信した印刷データの削除開始指示が、削除対象印刷データを特定する情報から特定される印刷データの保存ユーザからのものか、もしくは、印刷システム管理者からのものかを判定する。
【００９９】
そして、ステップＳ８１２で、削除指示された装置のＣＰＵが、印刷データの削除開始指示が、削除対象印刷データの保存ユーザからのものでない、且つ、印刷システム管理者からのものでないと判定した場合には、（即ち、ステップＳ８１２で条件を満たさずＮｏ）と判定した場合には、そのまま処理を終了する（Ｓ８１６）。
【０１００】
一方、ステップＳ８１２で、削除指示された装置のＣＰＵが、印刷データの削除開始指示が、削除対象印刷データの保存ユーザからのものである、もしくは、印刷システム管理者からのものであると判定した場合には、（即ち、ステップＳ８１２で条件を満たしてＹｅｓ）と判定した場合には、ステップＳ８１３に処理を移行させる。
【０１０１】
そして、ステップＳ８１３において、削除指示された装置のＣＰＵは、ステップＳ８１１で受信した削除対象印刷データを特定する情報から特定される印刷データを、削除指示された装置のＨＤＤ等から削除する印刷データ削除処理を行う。
【０１０２】
次に、ステップＳ８１４において、削除指示された装置のＣＰＵは、ステップＳ８１３で削除した印刷データに対応するカウンタ設定情報を削除指示された装置のＨＤＤ等から読み出し、該読み出したカウンタ情報を、前記削除した印刷データの保存ユーザもしくは印刷システム管理者へ通知する。なお、この通知は、削除指示された装置のＨＤＤ等に、予めユーザ毎に登録されているメールアドレス等に通知するものとする。
【０１０３】
次に、ステップＳ８１５において、削除指示された装置のＣＰＵは、印刷システム管理者等から予め設定されている内容に従ってカウンタ設定情報を処理（例えば、カウンタ設定情報の削除処理、所定の記憶場所への格納処理等）し、処理を終了する（Ｓ８１６）。
【０１０４】
以上で印刷データ削除処理１は終了する。
【０１０５】
図９は、本発明の印刷システムにおける第５の制御処理手順の一例を示すフローチャートであり、印刷データと印刷データに対応するカウンタ設定情報を保持する装置（以下、保持装置）において定期的に実行される印刷データの削除処理２に対応する。
【０１０６】
なお、図中、Ｓ９０１〜Ｓ９０６は、各保持装置で実行されるステップに対応する。なお、保持装置は、印刷装置１０１、印刷装置２０６、プリント管理サーバ２０２等である。また、Ｓ９０１〜Ｓ９０６の処理は、保持装置のＣＰＵがＨＤＤ等の外部記憶装置に格納されたプログラムをＲＡＭ等に読み出して実行することにより実行される。
【０１０７】
まず、保持装置（印刷装置１０１、印刷装置２０６、プリント管理サーバ２０２、印刷装置１０１等）のＣＰＵは、定期的に印刷データ削除処理２を開始する（Ｓ９０１）。
【０１０８】
そして、保持装置のＣＰＵは、ステップＳ９０２において、保持している印刷データのカウンタ設定情報の有効期限が期限切れになっているかどうかを判定する。
【０１０９】
そして、ステップＳ９０２で、保持装置のＣＰＵが、保持している印刷データのカウンタ設定情報の有効期限が期限切れになっていないと判定した場合には、そのまま印刷データ削除処理２を終了する（Ｓ９０６）。
【０１１０】
一方、ステップＳ９０２で、保持装置のＣＰＵが、保持している印刷データのカウンタ設定情報の有効期限が期限切れになっていると判定した場合には、ステップＳ９０３に処理を移行する。
【０１１１】
そして、ステップＳ９０３において、保持装置のＣＰＵは、ステップＳ９０３で有効期限が期限切れになっていると判定された全ての印刷データを、保持装置のＨＤＤ等から削除する印刷データ削除処理を行う。
【０１１２】
次に、ステップＳ９０４において、保持装置のＣＰＵは、ステップＳ９０３で削除した印刷データに対応するカウンタ設定情報を保持装置のＨＤＤ等から読み出し、該読み出したカウンタ情報を、前記削除した印刷データの保存ユーザもしくは印刷システム管理者へ通知する。なお、この通知は、保持装置のＨＤＤ等に、予めユーザ毎に登録されているメールアドレス等に通知するものとする。
【０１１３】
次に、ステップＳ９０５において、保持装置のＣＰＵは、印刷システム管理者等から予め設定されている内容に従ってカウンタ設定情報を処理（例えば、削除処理や所定の記憶場所に移動させる処理等）し、印刷データ削除処理２を終了する（Ｓ９０６）。
【０１１４】
以上、図５〜図９のフローチャートに示したように、本実施形態の印刷システムによれば、明示的にカウント対象や課金対象となる部門を特定することができ、例えば、他部門の都合で印刷する必要があるものに関しては前記他部門にカウントし、より正確な部門毎のカウンタ情報の取得することができる印刷システムを構築することが可能となる。
【０１１５】
なお、印刷データの送信・保存指示を行う際に、上述のカウンタ設定情報（カウンタ処理対象者，印刷許可対象者，印刷可能枚数，有効期限）が設定されなかった場合には、デフォルトのカウンタ設定情報を設定するように構成してもよい。例えば、デフォルトのカウンタ設定情報は、カウンタ処理対象者，印刷許可対象者を印刷データ送信者とし、さらに、印刷可能枚数，有効期限を所定の枚数（例えば１００枚），所定の期間（例えば１０日間）等とする。
【０１１６】
〔第２実施形態〕
上記第１実施形態では、印刷データの送信・保存指示を行う度に、毎回、カウンタ設定情報の各設定値（カウンタ処理対象者，印刷許可対象者，印刷可能枚数，有効期限）を設定する構成について説明した。
【０１１７】
これに対して、本実施形態では、予めカウンタ設定情報の各設定値（カウンタ処理対象者，印刷許可対象者，印刷可能枚数，有効期限）を複数登録しておき、印刷データの送信・保存指示を行う際に、登録済のカウンタ設定情報を選択指定するように構成する。これにより、カウンタ設定情報の各設定値の設定の手間を軽減することができる。以下、その実施形態について詳細に説明する。
【０１１８】
なお、印刷システム全体の構成及び印刷装置１０１の装置構成は、上記第１実施形態と同様である。以下、第１実施形態と異なる構成のみ説明する。
【０１１９】
図１０は、本発明の第２実施形態における印刷データ送信・保存開始指示、印刷データ印刷開始指示、カウンタ設定情報登録開始指示、カウンタ設定情報収集開始指示、印刷データ削除開始指示を行う画面の一例を示す図である。なお、図３と同一のものには同一の符号を付してある。また、この画面は、印刷装置１０１の操作パネル１０９、印刷装置２０６の操作パネル１０９、ホストコンピュータ１０２のモニタ、ホストコンピュータ１０２のモニタ、プリントサーバ２０２のモニタ、又は、画像読み込み装置２０５の操作パネル上に表示される。
【０１２０】
図１０において、１００３はカウンタ設定情報の登録ボタンである。このカウンタ設定情報の登録ボタン１００３は、カウンタ設定情報登録開始指示を行う場合に使用する。
【０１２１】
図１１は、本発明の第２実施形態において予め設定されているカウンタ設定情報の一例を示す図である。本実施形態では、予めカウンタ設定情報を、印刷処理装置（ホストコンピュータ１０２、印刷装置装置１０１、印刷装置２０６、又は、プリント管理サーバ２０２）のハードディスクドライブ１０８に保存しておく。これにより、ユーザは、印刷時に設定番号１２０１を選択するのみで、予め保存されているカウンタ設定情報を利用した印刷指示（後述する図１３に示す）が可能となる。
【０１２２】
以下、図１２，図１３のフローチャートを参照して、本発明の第２実施形態を示す印刷システムにおける制御処理動作について説明する。
【０１２３】
図１２は、本発明の印刷システムにおける第６の制御処理手順の一例を示すフローチャートであり、図１０に示したカウンタ設定情報の登録ボタン１００３が指示された場合に実行されるカウンタ設定情報登録処理に対応する。
【０１２４】
なお、図中、Ｓ５０１〜Ｓ５１０は、カウンタ設定情報登録開始の指示元（以下、単に「指示元」という）で実行されるステップに対応する。なお、指示元の装置は、ホストコンピュータ１０２、印刷装置１０１、印刷装置２０６、又は、画像読み取り装置２０５のいずれであってもよい。また、指示元の装置で行われるカウンタ設定情報登録開始の指示は、該指示元の装置の操作部（印刷装置１０１であれば操作パネル１０９）で図１０に示した画面から行われる。また、Ｓ５０１〜Ｓ５１０の処理は、指示元の装置のＣＰＵがＨＤＤ等の外部記憶装置に格納されたプログラムをＲＡＭ等に読み出して実行することにより実行される。
【０１２５】
また、Ｓ５２１〜Ｓ５２３は、カウンタ設定情報の登録先（以下、単に「登録先」という）で実行されるステップに対応する。なお、登録先の装置は、ホストコンピュータ１０２、印刷装置１０１、印刷装置２０６、プリント管理サーバ２０２等である。また、Ｓ５２１〜Ｓ５２３の処理は、登録先の装置のＣＰＵがＨＤＤ等の外部記憶装置に格納されたプログラムをＲＡＭ等に読み出して実行することにより実行される。
【０１２６】
なお、上述した指示元の装置、登録先の装置は、同一装置であっても異なる装置であってもよい。
【０１２７】
まず、指示元において、図１０に示した画面上のカウンタ設定情報の登録ボタン１００３がユーザにより指示されることによりカウンタ設定情報登録開始が指示されると（Ｓ５０１）、本フローチャートの処理を開始する。
【０１２８】
そして、登録元の装置のＣＰＵは、ステップＳ５０２〜Ｓ５０８において設定処理を行う。ステップＳ５０２〜Ｓ５０８の設定処理は、設定終了となるまで、ステップＳ５０３〜Ｓ５０７の処理を繰り返す。
【０１２９】
ステップＳ５０３において、指示元の装置のＣＰＵは、カウンタ設定情報登録先を、ホストコンピュータ１０２、印刷装置１０１、印刷装置２０６、プリント管理サーバ２０２の中からユーザに選択入力させる。ユーザがいずれかを入力すると、指示元の装置のＣＰＵは、該入力された装置をカウンタ設定情報登録先として設定し、ＲＡＭ等のメモリ内に記憶する。
【０１３０】
ステップＳ５０４において、指示元の装置のＣＰＵは、カウンタ処理対象者をユーザに入力させる。ユーザがいずれかのユーザ名（セクション名等でもよく）を入力すると、指示元の装置のＣＰＵは、該入力されたユーザ名をカウンタ処理対象者として設定し、ＲＡＭ等のメモリ内に記憶する。
【０１３１】
次に、ステップＳ５０５において、指示元の装置のＣＰＵは、印刷許可対象者をユーザに入力させる。ユーザがいずれかのユーザ名（セクション名等でもよい、又、複数ユーザであってもよい）を入力すると、指示元の装置のＣＰＵは、該入力されたユーザ名を印刷許可対象者として設定し、ＲＡＭ等のメモリ内に記憶する。
【０１３２】
次に、ステップＳ５０６において、指示元の装置のＣＰＵは、印刷可能枚数をユーザに入力させる。ユーザが印刷可能枚数を入力すると、指示元の装置のＣＰＵは、該入力された値を印刷可能枚数として設定し、ＲＡＭ等のメモリ内に記憶する。
【０１３３】
次に、ステップＳ５０７において、指示元の装置のＣＰＵは、有効期限をユーザに入力させる。ユーザが有効期限として日時を入力すると、指示元の装置のＣＰＵは、該入力された日時を有効期限として設定し、ＲＡＭ等のメモリ内に記憶する。
【０１３４】
そして、ユーザより設定終了が指示されると、指示元の装置のＣＰＵは、ステップＳ５０９に処理を移行させる。
【０１３５】
次に、ステップＳ５０９において、指示元の装置のＣＰＵは、ステップＳ５０５〜Ｓ５０７で入力されて指示元の装置のＲＡＭ内に記憶されている各設定値（カウンタ設定情報登録先，カウンタ処理対象者，印刷許可対象者，印刷可能枚数，有効期限）を、カウンタ設定情報として指示元の装置のＲＡＭ等のメモリ内に保持する。
【０１３６】
次に、ステップＳ５１０において、指示元の装置のＣＰＵは、ステップＳ５０９で保持したカウンタ設定情報を含むカウンタ設定情報登録指示を、ステップＳ５０３で入力されて指示元の装置のＲＡＭ内に記憶されているカウンタ設定情報登録先に対応する装置へ送信し（カウンタ設定情報の登録指示）、処理を終了する（Ｓ５１１）。
【０１３７】
一方、登録先の装置のＣＰＵは、指示元の装置からカウンタ設定情報登録指示（カウンタ設定情報を含む）を受信すると（Ｓ５２１）、受信したカウンタ設定情報をＨＤＤ等の外部記憶装置（印刷装置１０１の場合ＨＤＤ１０８）に図１１に示した形式で保存（登録）し（Ｓ５２２）、処理を終了する（Ｓ５２３）。
以上でカウンタ設定情報登録処理は終了する。
【０１３８】
図１３は、本発明の印刷システムにおける第７の制御処理手順の一例を示すフローチャートであり、本発明の第２実施形態において、図１０に示した印刷データ送信・保存ボタン１００１が指示された場合に実行される印刷データ送信・保存処理に対応する。
【０１３９】
なお、図中、Ｓ６０１〜Ｓ６１１は、印刷データ送信・保存開始の指示元（以下、単に「指示元」という）で実行されるステップに対応する。なお、指示元の装置は、ホストコンピュータ１０２、印刷装置１０１、印刷装置２０６、又は、画像読み取り装置２０５のいずれであってもよい。また、指示元の装置で行われる印刷データ送信・保存開始の指示は、該指示元の装置の操作部（印刷装置１０１であれば操作パネル１０９）で図１０に示した画面から行われる。また、Ｓ６０１〜Ｓ６１１の処理は、指示元の装置のＣＰＵがＨＤＤ等の外部記憶装置に格納されたプログラムをＲＡＭ等に読み出して実行することにより実行される。
【０１４０】
また、Ｓ６２１〜Ｓ６２３は、カウンタ設定情報が登録されている装置（以下、単に「登録装置」という）で実行されるステップに対応する。なお、登録装置は、ホストコンピュータ１０２、印刷装置１０１、印刷装置２０６、プリント管理サーバ２０２等である。また、Ｓ６２１〜Ｓ６２３の処理は、登録装置のＣＰＵがＨＤＤ等の外部記憶装置に格納されたプログラムをＲＡＭ等に読み出して実行することにより実行される。
【０１４１】
さらに、Ｓ６３１〜Ｓ６３３は、印刷データの送信・保存先（以下、単に「送信先」という）で実行されるステップに対応する。なお、送信先の装置は、印刷装置１０１、印刷装置２０６、又は、プリント管理サーバ２０２のいずれであってもよい。また、Ｓ６３１〜Ｓ６３３の処理は、送信先の装置のＣＰＵがＨＤＤ等の外部記憶装置に格納されたプログラムをＲＡＭ等に読み出して実行することにより実行される。
【０１４２】
なお、上述した指示元の装置、登録装置、送信先の装置は、同一装置であっても異なる装置であってもよい。
【０１４３】
まず、指示元において、図１０に示した画面上の印刷データ送信・保存ボタン１００１がユーザにより指示されることにより印刷データ送信・保存開始が指示されると（Ｓ６０１）、本フローチャートの処理を開始する。
【０１４４】
そして、指示元の装置のＣＰＵは、ステップＳ６０２において、登録装置に対して選択可能なカウンタ設定情報を要求して取得し、ＲＡＭ等のメモリ内に記憶する。なお、上記登録装置は、予め設定された特定の装置であってもよいし、指示元の装置のＣＰＵが、ネットワーク２０４を会して接続されている印刷装置１０１、印刷装置２０６、プリント管理サーバ２０２、印刷装置１０１の中からユーザに選択させるように制御して決定してもよい。また、指示元の装置のＣＰＵが、カウンタ設定情報の取得要求を、ネットワーク２０４上にブロードキャストして、図１１に示したカウンタ設定情報を保持する全ての装置から取得するように構成してもよい。
【０１４５】
一方、登録装置のＣＰＵは、指示元の装置からカウンタ設定情報の取得要求を受信すると（Ｓ６２１）、ＨＤＤ等の外部記憶装置（印刷装置１０１の場合ＨＤＤ１０８）に図１１に示した形式で保存されている全てのカウンタ設定情報を、要求した情報機器（指示元の装置）に返信し（Ｓ６２２）、処理を終了する（Ｓ６２３）。
【０１４６】
そして、指示元の装置のＣＰＵは、ステップＳ６０３〜Ｓ６０７において設定処理を行う。ステップＳ６０３〜Ｓ６０７の設定処理は、設定終了となるまで、ステップＳ６０４〜Ｓ６０６の処理を繰り返す。
【０１４７】
ステップＳ６０４において、指示元の装置のＣＰＵは、印刷データ送信先を、ネットワーク２０４を会して接続されている印刷装置１０１、印刷装置２０６、プリント管理サーバ２０２、印刷装置１０１の中からユーザに選択入力させる。ユーザがいずれかを入力すると、指示元の装置のＣＰＵは、該入力された装置を印刷データの送信先として設定し、ＲＡＭ等のメモリ内に記憶する。
【０１４８】
ステップＳ６０５において、指示元の装置のＣＰＵは、印刷形式をユーザに選択入力させる。ユーザが印刷形式を入力すると、指示元の装置のＣＰＵは、該入力された印刷形式をＲＡＭ等のメモリ内に記憶する。
【０１４９】
次に、ステップＳ６０６において、指示元の装置のＣＰＵは、ステップＳ６０２で取得した選択可能なカウンタ設定情報を一覧表示して、該一覧からカウンタ設定情報をユーザに選択させる。ユーザがいずれかのカウンタ設定情報を選択すると、指示元の装置のＣＰＵは、該選択情報をＲＡＭ等のメモリ内に記憶する。
【０１５０】
そして、ユーザより設定終了が指示されると、指示元の装置のＣＰＵは、ステップＳ３１０に処理を移行させる。
【０１５１】
次に、ステップＳ６０８において、指示元の装置のＣＰＵは、ステップＳ６０６での選択情報に対応するカウンタ設定情報（カウンタ処理対象者，印刷許可対象者，印刷可能枚数，有効期限）を、送信するカウンタ設定情報として指示元の装置のＲＡＭ等のメモリ内に保持する。
【０１５２】
次に、ステップＳ６０９において、指示元の装置のＣＰＵは、ステップＳ６０５で入力されて指示元の装置のＲＡＭ内に記憶されている印刷形式の設定に従い、印刷データを生成する。
【０１５３】
次に、ステップＳ６１０において、指示元の装置のＣＰＵは、ステップＳ６０９で保持したカウンタ設定情報と、ステップＳ６０９で生成した印刷データとを、ステップＳ６０４で入力されて指示元の装置のＲＡＭ内に記憶されている送信先に対応する装置へ送信し（カウンタ設定情報・印刷データの送信）、印刷データ送信処理を終了する（Ｓ６１０）。
【０１５４】
一方、送信先の装置のＣＰＵは、指示元の装置からカウンタ設定情報・印刷データを受信すると（Ｓ６３１）、受信したカウンタ設定情報・印刷データをＨＤＤ等の外部記憶装置（印刷装置１０１の場合ＨＤＤ１０８）に保存し（Ｓ６３２）、印刷データ保存処理を終了する（Ｓ６３３）。
【０１５５】
以上で、第２実施形態における印刷データ送信・保存処理は終了する。
【０１５６】
以上のように、本実施形態の印刷システムによれば、予め登録しておいたカウンタ設定情報を選択して印刷データとともに送信することにより、毎回の印刷データ送信・保存の指示の手間を軽減し、より簡単に、明示的に課金対象となる部門を特定することができる。
なお、予め、デフォルトのカウンタ設定情報を登録しておき、印刷データの送信・保存指示を行う際に、上述のカウンタ設定情報の選択がなされなかった場合には、上記デフォルトのカウンタ設定情報を設定するように構成してもよい。
【０１５７】
〔第３実施形態〕
上記第１実施形態では、印刷データの送信・保存指示を行う度に、毎回、カウンタ設定情報の各設定値（カウンタ処理対象者，印刷許可対象者，印刷可能枚数，有効期限）を設定する構成について説明した。
【０１５８】
また、上記第２実施形態では、予めカウンタ設定情報の各設定値（カウンタ処理対象者，印刷許可対象者，印刷可能枚数，有効期限）を複数登録しておき、印刷データの送信・保存指示を行う際に、登録済のカウンタ設定情報を選択指定する構成について説明した。
【０１５９】
そして、本実施形態では、上記第１実施形態（印刷データの送信・保存指示の際に、カウンタ設定情報の各設定値をそれぞれ設定する方法）と、上記第２実施形態（印刷データの送信・保存指示の際に、予め登録済のカウンタ設定情報を選択指定する方法）とを、印刷データの送信・保存指示の際に、選択して実行可能にする構成について説明する。
【０１６０】
なお、印刷システム全体の構成及び印刷装置１０１の装置構成は、上記第１，２実施形態と同様である。以下、第１，２実施形態と異なる構成のみ説明する。
【０１６１】
図１４は、本発明の第３実施形態における印刷データ送信・保存の方法を選択する選択画面の一例を示す図である。なお、この選択画面は、図１０に示した印刷データ送信・保存開始ボタン１００１が指示された際に、同装置の表示部に表示されるものである。
【０１６２】
図１４において、１４０１はカウンタ設定情報の各設定値を入力ボタンである。このボタン１４０１が指示されると、上記第１実施形態で示した方法（印刷データの送信・保存指示の際に、カウンタ設定情報の各設定値をそれぞれ設定する方法）で印刷データの送信・保存処理が実行される。
【０１６３】
１４０２は登録済のカウンタ設定情報から選択ボタンである。このボタン１４０２が指示されると、上記第２実施形態で示した方法（印刷データの送信・保存指示の際に、予め登録済のカウンタ設定情報を選択指定する方法）で印刷データの送信・保存処理が実行される。
【０１６４】
以下、図１５のフローチャートを参照して、本発明の第３実施形態を示す印刷システムにおける制御処理動作について説明する。
【０１６５】
図１５は、本発明の印刷システムにおける第８の制御処理手順の一例を示すフローチャートであり、本発明の第３実施形態において、図１０に示した印刷データ送信・保存ボタン１００１が指示された場合に実行される印刷データ送信・保存処理に対応する。
【０１６６】
なお、図中、Ｓ１５０１〜Ｓ１５０６は、印刷データ送信・保存開始の指示元（以下、単に「指示元」という）で実行されるステップに対応する。なお、指示元の装置は、ホストコンピュータ１０２、印刷装置１０１、印刷装置２０６、又は、画像読み取り装置２０５のいずれであってもよい。また、指示元の装置で行われる印刷データ送信・保存開始の指示は、該指示元の装置の操作部（印刷装置１０１であれば操作パネル１０９）で図１０に示した画面から行われる。また、Ｓ１５０１〜Ｓ１５０５の処理は、指示元の装置のＣＰＵがＨＤＤ等の外部記憶装置に格納されたプログラムをＲＡＭ等に読み出して実行することにより実行される。
【０１６７】
まず、指示元において、図１０に示した画面上の印刷データ送信・保存ボタン１００１がユーザにより指示されることにより印刷データ送信・保存開始が指示されると（Ｓ１５０１）、本フローチャートの処理を開始する。
【０１６８】
そして、指示元の装置のＣＰＵは、ステップＳ１５０２において、表示部（印刷装置１０１の場合は操作パネル１０９の表示部）に、図１４に示した選択画面を表示させ、ユーザに、ボタン１４０１，１４０２により印刷データ送信・保存の処理方法を選択させる。
【０１６９】
そして、指示元の装置のＣＰＵは、ボタン１４０１，１４０２のいずれかが選択されるまで待機し、いずれかのボタンが選択されたと判定した場合には、ステップＳ１５０４に処理を移行する。
【０１７０】
次に、ステップＳ１５０４において、指示元の装置のＣＰＵは、カウンタ設定情報の各設定値を入力ボタン１４０１が選択されたか否かを判定し、カウンタ設定情報の各設定値を入力ボタン１４０１が選択されたと判定した場合には、ステップＳ１５０５において図５のステップＳ３０２へ処理を移行させる。
【０１７１】
一方、ステップＳ１５０４で、指示元の装置のＣＰＵが、カウンタ設定情報の各設定値を入力ボタン１４０１が選択されなかった（登録済のカウンタ設定情報から選択１４０２ボタンが選択された）と判定した場合には、ステップＳ１５０６において図１３のステップＳ６０２へ処理を移行させる。
【０１７２】
以上説明したように、本実施形態によれば、第１実施形態で示した方法（印刷データの送信・保存指示の際に、カウンタ設定情報の各設定値をそれぞれ設定する方法）と、第２実施形態で示した方法（印刷データの送信・保存指示の際に、予め登録済のカウンタ設定情報を選択指定する方法）とをユーザが、状況に応じて容易に選択することができる。
【０１７３】
この結果、頻繁に使用するカウンタ設定については、登録済から選択して速やかに指定でき、また、その他のカウンタ設定については、その都度、詳細に設定することができる。
【０１７４】
よって、簡単な設定操作により、正確な部門毎のカウンタ情報の取得することができる。
【０１７５】
なお、登録済のカウンタ設定情報を編集して、新たなカウンタ設定情報として設定したり、登録したり可能に構成してもよい。
【０１７６】
また、カウンタ設定情報の有効期限に、「期限なし」を設定することにより、印刷データを印刷装置等のＨＤＤに恒久保存することも可能である。
【０１７７】
さらに、上記各実施形態では、印刷データ送信・保存指示により印刷データを印刷処理装置（印刷装置１０１，２０６やプリント管理サーバ２０２等）に保存させておき、改めて、印刷データの印刷指示により印刷させる構成について説明したが、印刷データの送信・保存指示と印刷データの印刷指示を同時に行うことが可能に構成してもよい。
【０１７８】
さらに、印刷データの送信・保存指示と印刷データの印刷指示に加えて、印刷データの削除指示も同時に行うことを可能に構成してもよい。
【０１７９】
また、上記各実施形態では、印刷許可枚数を、関連付けられた印刷データの積算の印刷枚数とするように制御する構成について説明したが、印刷指示者毎の印刷許可枚数として制御するように構成してもよい。
【０１８０】
さらに、ユーザは、図３，図１０に示した画面より、任意のタイミングで各種指示を行うことが可能である。
【０１８１】
なお、上記各実施形態では、実行プログラム、印刷データ、カウンタ設定情報等のデータはハードディスクドライブに格納されていたが、ＲＯＭ等に格納されていても構わない。また、印刷システム内に設けられているメモリモジュールに格納されてもよいことはいうまでもない。
【０１８２】
さらに、上記各実施形態の出力部（プリンタエンジン）は、レーザビーム方式であっても、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【０１８３】
また、図４，図１１に示したカウンタ設定情報の構成及びその内容はこれに限定されるものではなく、用途や目的に応じて、様々な構成や内容で構成されることは言うまでもない。
【０１８４】
以上、一実施形態について示したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１８５】
なお、上述した各実施形態及びその変形例を組み合わせた構成も全て本発明に含まれるものである。
【０１８６】
以上示したように、カウンタ設定情報と印刷データをそれぞれ管理、使用することで、明示的にカウント対象を特定することができ、より正確なカウント対象毎のカウンタ情報を取得することができる等の効果を奏する。
【０１８７】
この結果として、例えば、他部門の都合で印刷する必要があるものに関してはその部門（前記他部門）にカウントするというようにフレキシブルなカウント処理が可能となる。
【０１８８】
以下、図１６に示すメモリマップを参照して本発明に係る印刷システムを構成する情報機器（印刷装置１０１，ホストコンピュータ１０２，プリンタ管理サーバ２０２，画像読み取り装置２０５，印刷装置２０６）で読み取り可能なデータ処理プログラムの構成について説明する。
【０１８９】
図１６は、本発明に係る印刷システムを構成する情報機器（印刷装置１０１，ホストコンピュータ１０２，プリンタ管理サーバ２０２，画像読み取り装置２０５，印刷装置２０６）で読み取り可能な各種データ処理プログラムを格納する記憶媒体（記録媒体）のメモリマップを説明する図である。
【０１９０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１９１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１９２】
本実施形態における図５，図６，図７，図８，図９，図１２，図１３，図１５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１９３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１９４】
この場合、記憶媒体から読み出されたプログラムコード自体が本発明の新規な機能を実現することになり、そのプログラムコードを記憶した記憶媒体は本発明を構成することになる。
【０１９５】
従って、プログラムの機能を有していれば、オブジェクトコード、インタプリタにより実行されるプログラム、ＯＳに供給するスクリプトデータ等、プログラムの形態を問わない。
【０１９６】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１９７】
この場合、記憶媒体から読出されたプログラムコード自体が前述した実施形態の機能を実現することになり、そのプログラムコードを記憶した記憶媒体は本発明を構成することになる。
【０１９８】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１９９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０２００】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２０１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２０２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０２０３】
本発明は上記実施形態に限定されるものではなく、本発明の趣旨に基づき種々の変形（各実施形態の有機的な組合せを含む）が可能であり、それらを本発明の範囲から排除するものではない。
【０２０４】
本発明の様々な例と実施形態を示して説明したが、当業者であれば、本発明の趣旨と範囲は、本明細書内の特定の説明に限定されるのではない。
【図面の簡単な説明】
【０２０５】
【図１】本発明に係る一実施形態を示す印刷装置の構成を示すブロック図である。
【図２】本発明に係る一実施形態を示す印刷システムのブロック図である。
【図３】本発明の第１実施形態における印刷データ送信・保存開始指示、印刷データ印刷開始指示、カウンタ設定情報収集開始指示、印刷データ削除開始指示を行う画面の一例を示す図である。
【図４】本発明におけるジョブと対応するカウンタ設定情報の一例を示す図である。
【図５】本発明の印刷システムにおける第１の制御処理手順の一例を示すフローチャートである。
【図６】本発明の印刷システムにおける第２の制御処理手順の一例を示すフローチャートである。
【図７】本発明の印刷システムにおける第３の制御処理手順の一例を示すフローチャートである。
【図８】本発明の印刷システムにおける第４の制御処理手順の一例を示すフローチャートである。
【図９】本発明の印刷システムにおける第５の制御処理手順の一例を示すフローチャートである。
【図１０】本発明の第２実施形態における印刷データ送信・保存開始指示、印刷データ印刷開始指示、カウンタ設定情報登録開始指示、カウンタ設定情報収集開始指示、印刷データ削除開始指示を行う画面の一例を示す図である。
【図１１】本発明の第２実施形態において予め設定されているカウンタ設定情報の一例を示す図である。
【図１２】本発明の印刷システムにおける第６の制御処理手順の一例を示すフローチャートである。
【図１３】本発明の印刷システムにおける第７の制御処理手順の一例を示すフローチャートである。
【図１４】本発明の第３実施形態における印刷データ送信・保存の方法を選択する選択画面の一例を示す図である。
【図１５】本発明の印刷システムにおける第８の制御処理手順の一例を示すフローチャートである。
【図１６】本発明に係る印刷システムを構成する情報機器で読み取り可能な各種データ処理プログラムを格納する記憶媒体（記録媒体）のメモリマップを説明する図である。
【符号の説明】
【０２０６】
１０１    印刷装置
１０２（１０２ａ，１０２ｂ）    ホストコンピュータ
１０３    ＣＰＵ
１０６    ＲＡＭ
１０７    印刷出力部
１０８    ハードディスクドライブ（ＨＤＤ）
１０９    操作パネル
２０２    プリント管理サーバ
２０４    ネットワーク
２０５    画像読み取り装置
２０６    印刷装置
【図１】
2007011588.tif 000003
【図２】
2007011588.tif 000004
【図３】
2007011588.tif 000005
【図４】
2007011588.tif 000006
【図５】
2007011588.tif 000007
【図６】
2007011588.tif 000008
【図７】
2007011588.tif 000009
【図８】
2007011588.tif 000010
【図９】
2007011588.tif 000011
【図１０】
2007011588.tif 000012
【図１１】
2007011588.tif 000013
【図１２】
2007011588.tif 000014
【図１３】
2007011588.tif 000015
【図１４】
2007011588.tif 000016
【図１５】
2007011588.tif 000017
【図１６】
2007011588.tif 000018